(57)【要約】      （修正有）【課題】お守り又はお札の購入者にカスタマーＩＤを付与し、これを登録する一方、お守り購入者の各個人の携帯端末等の通信手段を介してカスタマーＩＤを持って神社に通信することによって通信祈願できるようにする。【解決手段】カスタマーＩＤを付されたＲＦＩＤタグ２０およびＱＲコード（登録商標）３０が付されたお守り又はお札１０を利用し、前記ＲＦＩＤタグ２０は各神社に配置されたＲＦＩＤリーダに参拝と同時に非接触で半導体メモリのデータを読み出し、各リーダから購入されたお守りのカスタマーＩＤがセンターに登録されるようにする。ＱＲコード３０は携帯端末３００を介して光学読み取りし、インターネットを介して各神社のコンテンツサーバ４００に接続して登録されたカスタマーＩＤを照合することにより各神社のお守り又はお札アプリを購入し、該アプリを使用して登録センター５００を介して神社端末２００に通信祈願可能とした。【選択図】図１
2012242896.tif 000002
【特許請求の範囲】
【請求項１】
ａ）半導体チップとアンテナとからなり、誘導磁界または電波によって非接触で半導体メモリのデータを読み出し、書き込みのために近距離通信を行う機能を有し、識別情報として少なくともカスタマーＩＤを付されたＲＦＩＤタグとｂ）別情報としてカスタマーＩＤおよび神社アドレス等のＵＲＬ情報を含むＱＲコードの双方を備える通信お守りと、
お守り等を販売した各神社に配置され、参拝と同時に誘導電磁界又は電波により非接触で前記ＲＦＩＤタグの半導体メモリのデータを読み出し、書き込みのために近距離通信を行うＲＦＩＤリーダと、
各神社のＲＦＩＤリーダからカスタマーＩＤとともに神社ＩＤ、参拝日時等を登録センターに送信する一方、登録センターからの応答を受信する神社通信端末と、
前記神社通信端末から送信信号を受けてお守り購入時のカスタマーＩＤを神社ＩＤとともに初期登録するだけでなく、各参拝毎に各神社のリーダで読み取った参拝信号を神社通信端末から受けて参拝記録を登録可能であるセンターサーバからなる登録センターと、
前記ＱＲコードを読み取るリーダを備え、光学読み取りした情報データを、インターネットを介してコンテンツサーバ及び登録センターに送信可能な携帯端末またはＰＣと、
前記携帯端末またはＰＣから情報データ信号をインターネットを介して受け、各神社のお守り又はお札通信アプリを携帯端末またはＰＣに送信するコンテンツサーバとを備え、
前記アプリを介して参拝時のＩＤを登録した登録センターのセンターサーバに対し携帯端末またはＰＣで祈願通信を有料または無料で行い、登録センターのセンターサーバは各祈願通信を神社通信端末に送信するネットワークを有することを特徴とする通信お守りシステム。
【発明の詳細な説明】
【技術分野】
【０００１】
本発明は、ＲＦＩＤタグ及び／又はＱＲコードを付設した個人識別機能(カスタマーＩＤ)を有し、実際の神社参拝により有効化する特性を有する通信お守りを利用する通信お守りシステムに関する。
【背景技術】
【０００２】
神社・仏閣へ参拝し購入していたおみくじ、お守り、絵馬等を、容易に取得できるシステムとして、サーバの記憶装置に、おみくじ情報と、発生確立情報と、メッセージ情報とを記憶すると共に、購入者が端末の金銭収納部に代金を投入後、購入したい神社・仏閣を選択することにより、サーバの制御装置は、複数枚の画像を個別に高速で変化表示する一方、おみくじ購入者が高速で入れ替わり変化する画像を順次停止させることにより得られた画像の組合わせにより、おみくじ情報を取得し、メッセージ情報からメッセージ及びメッセージ画像を取得し、取得された画像等を編集し、多機能端末に送信して多機能端末の表示部に表示すると共に、印刷部から印刷される。更に、購入したと同じおみくじ画像などを携帯端末の表示部に表示するバーチャル購入システムが提案されている（特許文献１）。
【０００３】
しかしながら、神社・仏閣のお守りは、神社仏閣にお参りした者に対し販売されるもので、販売前に神社・仏閣で予めお守りに対し祈祷されるため、お守りには神社・仏閣のご利益が化体しており、そのため、大勢の人が神社・仏閣のお守りを買い求めるのであり、参拝せずバーチャルな購入は御利益があるかどうか疑心暗鬼になるものである。
【０００４】
そこで、神社・仏閣で祈祷済みの祈祷済お守り画像データを配信することができ、配信先の携帯端末を神社・仏閣のお守りと同等のご利益があるお守りとして広く一般のユーザーが利用できる祈祷済お守り画像を配信する技術が提案されている（特許文献２）。
【先行技術文献】
【特許文献】
【０００５】
【特許文献１】特許公開２００２−２７３０４１号公報
【特許文献２】特許公開２００３−３０２００号公報
【発明の開示】
【発明が解決しようとする課題】
【０００６】
しかしながら、この祈祷済お守り画像配信システムは、一般会員に配信する配信画像が、神社・仏閣で祈祷済のお守り画像データであり、該お守り画像データを格納して管理するお守り画像データベースと、お守り画像の配信要求があると、前記お守り画像データベースから所望の祈祷済のお守り画像データを検索して、一般会員の通信端末に配信するお守り画像配信手段とを備え、一般会員の通信端末からお守り画像データの配信要求があると、お守り画像配信手段によって、配信要求の検索条件に応じて、お守り画像データベースから所望の祈祷済お守り画像データが検索され、当該一般会員の通信端末に配信されるようになっているため、実際に足を運んで参拝し、祈祷をして購入したお守りでなく、祈祷依頼は各個人特有の依頼にも関わらず、祈祷済のお守りは既に購入者の特定もなく、同一の画像データが広く携帯端末に配信されるだけで神社・仏閣に参拝し購入した特定のお守りと同等のご利益があるが疑わしくなるというバーチャル取引の欠点を有している。
【０００７】
そこで、本発明の目的は、御利益のあるお守りとして神社仏閣に参拝して購入できるお守り又はお札にそのお守りの購入者を特定し、購入者固有のお守りとして購入者に与えられるカスタマーＩＤを神社仏閣で登録することにより特定のお守り又はお札となし、その購入者に限り一定の有効期限内で継続してネット配信によって特定の神社仏閣と祈願通信できるようにして御利益パワーを取得できるシステムを提供することにある。
すなわち、本発明の課題はお守り又はお札の購入者を特定するにはカスタマーＩＤを付与し、これを神社仏閣で登録する一方、お守り購入者の各個人の携帯端末等の通信手段を介してカスタマーＩＤを持って通信することによって通信祈願することができるようにすることである。
【課題を解決するための手段】
【０００８】
本発明はａ）半導体チップとアンテナとからなり、誘導磁界または電波によって非接触で半導体メモリのデータを読み出し、書き込みのために近距離通信を行う機能を有し、識別情報として少なくともカスタマーＩＤを付されたＲＦＩＤタグとｂ）別情報としてカスタマーＩＤおよび神社アドレス等のＵＲＬ情報を含むＱＲコードの双方を備える通信お守りと、
お守り等を販売した各神社に配置され、参拝と同時に誘導電磁界又は電波により非接触で前記ＲＦＩＤタグの半導体メモリのデータを読み出し、書き込みのために近距離通信を行うＲＦＩＤリーダと、
各神社のＲＦＩＤリーダからカスタマーＩＤとともに神社ＩＤ、参拝日時等を登録センターに送信する一方、登録センターからの応答を受信する神社通信端末と、
前記神社通信端末から送信信号を受けてお守り購入時のカスタマーＩＤを神社ＩＤとともに初期登録するだけでなく、各参拝毎に各神社のリーダで読み取った参拝信号を神社通信端末から受けて参拝記録を登録可能であるセンターサーバからなる登録センターと、
前記ＱＲコードを読み取るリーダを備え、光学読み取りした情報データを、インターネットを介してコンテンツサーバ及び登録センターに送信可能な携帯端末またはＰＣと、
前記携帯端末またはＰＣから情報データ信号をインターネットを介して受け、各神社のお守り又はお札通信アプリを携帯端末またはＰＣに送信するコンテンツサーバとを備え、
前記アプリを介して参拝時のＩＤを登録した登録センターのセンターサーバに対し携帯端末またはＰＣで祈願通信を有料または無料で行い、登録センターのセンターサーバは各祈願通信を神社通信端末に送信することを特徴とする通信お守りシステムを提供するものである。
【０００９】
本発明の構成によれば、神社仏閣に参拝した者のみが購入するお守りまたはお札に神社の参拝を読み取り、登録するシステムをもってお守りまたはお札を購入した者にカスタマーＩＤを付与して神社の登録センターに登録する一方、携帯端末機能を活用してお守りアプリを購入させ、神社に対し祈願通信を可能とさせることができるので、携帯端末を介して登録された神社に通信祈願することが可能となる。
【図面の簡単な説明】
【００１０】
【図１】本発明に係る通信お守りシステムの全体構成を示す概念図である。
【発明を実施するための最良の形態】
【００１１】
次に、本発明の実施例について説明する。図1は、本発明の実施例における全体システム構成を示す説明図で、通信お守り１０、神社リーダ１００、神社通信端末２００、携帯端末又はＰＣ３００、コンテンツサーバ４００及びセンターサーバ５００とからなり、インターネットに代表されるネットワークＮＴにより接続されている。
【００１２】
通信お守り１０はお守り袋内にＲＥＩＤタグ２０と光学的読み取りコード３０とを備えるシートまたはカード１１が収納されており、ＲＥＩＤタグ２０は半導体チップ２１とアンテナ２２とからなり、誘導磁界または電波によって非接触で半導体チップ２１のメモリデータを読み出し、書き込みのために近距離通信を行う機能を有し、識別情報としてカスタマーＩＤ及び神社ＩＤを付されている。他方、光学的読み取りコード３０はＱＲコードからなる。
【００１３】
１００はＲＦＩＤリーダで、お守り等を販売する各神社に配置され、参拝と同時に誘導電磁界又は電波により非接触で前記ＲＦＩＤタグの半導体メモリのデータを読み出し、書き込みのために近距離通信を行い、参拝通信（Ｓ１０１）を行う。リーダ１００は適宜読み取り可能な状態として置き、祈祷料及びお賽銭の課金時に、課金データ（Ｓ１０３）が神社通信端末２００からセンターサーバ５００に送信されるようにしてもよい。
【００１４】
各神社の通信端末２００はリーダ１００から受信したカスタマーＩＤとともに神社ＩＤ、参拝日時等をセンターサーバ３００に送信する一方、センターサーバ５００からの指令を受信する端末である。
【００１５】
センターサーバ５００は前記神社通信端末から送信信号を受けてお守り購入時のカスタマーＩＤを神社ＩＤとを初期登録するだけでなく、各参拝毎に各神社のリーダで読み取った参拝信号を神社通信端末から受けて参拝記録を登録可能である登録センターである。登録センターは神社通信端末１００と各クライアントの携帯端末又はＰＣ５００との各種通信を管理する機能を果たし、Ｙａｈｏｏ又はＧｏｏｇｌｅ等のサーバ会社を利用して運営することができる。
【００１６】
携帯端末又はＰＣ３００は、通常前記光学的読み取りコードを読み取るリーダを備え、光学読み取りした情報を、コンテンツサーバ４００に送信するとともに通信アプリを介して前記登録センターに送信することができるようになっている。
【００１７】
コンテンツサーバ４００は携帯端末４００などの前記光学的読み取りコードの情報信号をインターネットを介して受け、各神社のお守り又はお札の通信アプリを携帯端末またはＰＣに送信する機能を備え、ｄｏｃｏｍｏ，ａｕ，ｓｏｆｔｂａｎｋなど各社サーバを利用して運営することができる。
【００１８】
、
アプリ購入後の携帯端末３００は前記アプリを介して参拝時のＩＤを登録した登録センターのセンターサーバに対し祈願通信を有料または無料で行うことができ、登録センターのセンターサーバは各祈願通信を神社通信端末に送信して各種祈祷を行うことになるので、携帯端末に通信お守り機能を持たせることができる。
【００１９】
以下、具体的ルーチンを図１に基づいて説明する。
１００は神社内に設置されるＲＦＩＤタグリーダで、神社通信端末２００に接続される。通信お守り１０のＲＦＩＤタグ２０を参拝時に神社リーダ１００にかざして神社参拝を行うと、リーダ１００はそれを読み取り（Ｓ１０１）、神社の通信端末２００に送信する（Ｓ１０２）。通信端末はその参拝信号をセンターサーバ５００に送信し（Ｓ１０３）、センターサーバ５００はカスタマーＩＤ及び神社ＩＤとともに参拝日時を登録する。次いで、お守り１０のＱＲコード３０を携帯端末３００に読み取らせ（Ｓ２０１）、それに基づき、コンテンツサーバ４００に接続すると（Ｓ２０２）、コンテンツサーバ４００は携帯端末３００にセンターサーバ５００への接続のための通信アプリをダウンロードさせる（Ｓ２０３）。そこで、カスタマーは携帯端末３００を用いて通信アプリを介してセンターサーバ５００に対し祈願通信を行うと（Ｓ２０４）、センターサーバ５００はこれを受け付け、携帯端末に返信する（Ｓ２０５）とともに神社の通信端末２００に祈願依頼を報告する（Ｓ２０６）。神社は通信端末２００に送信された祈祷依頼書を打ち出し、これを祈祷するとともに、祈祷済み報告をセンターサーバ５００を介して各携帯端末２００に通信する（Ｓ２０７）。祈祷料又はお賽銭は神社参拝でのリーダ１００での読み取り時に電子マネーによる課金によりリーダを有効化させ、リーダ１００の読み取りを通信端末２００を介してセンターサーバ５００に記録させ、祈祷有効期間の管理をすることができる。
【図１】
2012242896.tif 000003